(57)【要約】【課題】電源電流を確実に分流可能で、通電による発熱を防止可能な電気コネクタを提供する。【解決手段】プラグコネクタ１はプラグ側ハウジング５と、プラグ側ハウジング５に保持され、電源電流が流れるプラグ側電源コンタクト５Ａを有し、プラグ側電源コンタクト５Ａは、平板を折り曲げた形状を有し、一体に形成されたバネ状の少なくとも一対の接点部１５Ａ、１５Ｂを有し、一対の接点部１５Ａ、１５Ｂは、平面が互いに対向するように設けられている。【選択図】図２Ａ
2014175304.tif 000002
【特許請求の範囲】
【請求項１】
ハウジングと、
前記ハウジングに保持され、電源電流が流れる電源コンタクトと、
を有し、
前記電源コンタクトは、
平板を折り曲げた形状を有し、一体に形成されたバネ状の少なくとも一対の接点部を有し、
一対の前記接点部は、平面が互いに対向するように設けられている、電気コネクタ。
【請求項２】
前記電源コンタクトは、前記接点部の平面に対してオフセットするように設けられた実装部を有する、請求項１に記載の電気コネクタ。
【請求項３】
前記電源コンタクトは、一対の前記接点部を連結する連結部を有する、請求項１に記載の電気コネクタ。
【請求項４】
一対の前記接点部は、左右対称な形状を有する、請求項１に記載の電気コネクタ。
【請求項５】
前記電気コネクタはプラグコネクタであり、
前記連結部は、
前記接点部の端部の内側同士を連結するように設けられた板状の形状を有する、請求項３に記載の電気コネクタ。
【請求項６】
前記電気コネクタはレセプタクルコネクタであり、
前記連結部は、
前記接点部の端部の外側同士を連結するように設けられた板状の形状を有する請求項３に記載の電気コネクタ。
【請求項７】
前記連結部に実装部が設けられている、請求項３に記載の電気コネクタ。
【請求項８】
前記ハウジングに保持され、信号電流が流れる複数の信号用コンタクトを有し、
前記電源コンタクトは、前記信号用コンタクトの配列方向の両端にそれぞれ設けられる、請求項１に記載の電気コネクタ。
【請求項９】
請求項１に記載の電気コネクタを相手側コネクタと組み合わせてなるコネクタユニット。
【請求項１０】
ハウジングと、
前記ハウジングに保持され、電源電流が流れる電源コンタクトと、
を有し、
前記電源コンタクトは、
面方向から見た形状がＵ字状の板状部材であり、一体に形成された少なくとも一対の接点部を有し、
一対の前記接点部は、互いに平面が対向するように設けられている、電気コネクタ。
【請求項１１】
前記電源コンタクトは、前記接点部の平面に対してオフセットするように設けられた実装部を有する、請求項１０に記載の電気コネクタ。
【請求項１２】
前記電源コンタクトは、一対の前記接点部を連結する連結部を有する、請求項１０に記載の電気コネクタ。
【請求項１３】
一対の前記接点部は、左右対称な形状を有する、請求項１０に記載の電気コネクタ。
【請求項１４】
前記電気コネクタはプラグコネクタであり、
前記連結部は、
一対の前記接点部のＵ字の端部のうち、内側同士を連結するように設けられた板状部材である、請求項１２に記載の電気コネクタ。
【請求項１５】
前記電気コネクタはレセプタクルコネクタであり、
前記連結部は、
一対の前記接点部のＵ字の端部のうち、外側同士を連結するように設けられた板状部材である、請求項１２に記載の電気コネクタ。
【請求項１６】
前記連結部に実装部が設けられている、請求項１２に記載の電気コネクタ。
【請求項１７】
前記ハウジングに保持され、信号電流が流れる複数の信号用コンタクトを有し、
前記電源コンタクトは、前記信号用コンタクトの配列方向の両端にそれぞれ設けられる、請求項１０に記載の電気コネクタ。
【発明の詳細な説明】
【技術分野】
【０００１】
本発明は電気コネクタに関する。
【背景技術】
【０００２】
従来、基板の面同士を接続する電気コネクタとして、基板コネクタ（基板対基板コネクタ）が用いられてきた。
【０００３】
基板コネクタは、プラグコネクタと、レセプタクルコネクタとが１つの組になっており、レセプタクルコネクタにプラグコネクタが挿入され、互いのコンタクト部材が接触することにより、電気的に接続される。
【０００４】
プラグコネクタと、レセプタクルコネクタは、絶縁性のハウジングと、ハウジングに保持された導電性の信号コンタクトを有している。
【０００５】
ここで、電気コネクタを電源用のコネクタとして用いる場合は、信号コンタクトに加えて電源コンタクトを備える場合がある。
【０００６】
電源コンタクトを備えた電気コネクタとしては、例えば日本国公開特許公報  特開２０１３−１６４１０号公報（特許文献１）に記載されているように、プラグコネクタと、レセプタクルコネクタそれぞれに、基板に実装する接続部（実装部）と、相手側の電源コンタクトと接触する接触部（接点部）とを有し、接触部同士を接触させることにより、電源コンタクトを電気的に接続する構成が知られている。
【０００７】
一方で、上記構成では、接触部が一箇所であり、この接触部に電源電流が集中するため、通電による発熱を防止するためには、大きな電流容量を有する構造、具体的にはコンタクトの大型化が必要となる。
【０００８】
しかしながら、近年、基板コネクタは携帯電話機等の小型端末に広く適用されており、電気コネクタも小型化が求められることから、電源コンタクトの大型化は困難である。
【０００９】
そこで特開２０１０−１９８９９６号公報（特許文献２)のように、３箇所の接点を設け、電源電流を分流した構造が知られている。
【００１０】
具体的には、図７に示すように、特開２０１０−１９８９９６号公報の電源端子である第１固定具５４は、相手側の電源コンタクトと接触する部分として、１つの弾性片８０と、２つの突起状の突出部７８１を有し、合計３箇所の接点を有している。
【先行技術文献】
【特許文献】
【００１１】
【特許文献１】特開２０１３−１６４１０号公報
【特許文献２】特開２０１０−１９８９９６号公報
【発明の概要】
【発明が解決しようとする課題】
【００１２】
しかしながら、特開２０１０−１９８９６６号公報の構造は、３箇所の接点のうち、２箇所の接点（突出部７８１）の接触部が他の一箇所（弾性片８０）と比べて小さく、不均等な形状であるため、結局は他の一箇所の接点に電源電流が集中することになり、電源電流が十分に分流されていないという問題があった。
【００１３】
本発明は、このような問題点の改善の為になされたものであり、その目的は、電源電流を確実に分流可能で、通電による発熱を防止可能な電気コネクタを提供することにある。
【課題を解決するための手段】
【００１４】
上記課題を解決するため、本発明の第１の態様は、ハウジングと、前記ハウジングに保持され、電源電流が流れる電源コンタクトと、を有し、前記電源コンタクトは、平板を折り曲げた形状を有し、一体に形成されたバネ状の少なくとも一対の接点部を有し、一対の前記接点部は、平面が互いに対向するように設けられている、電気コネクタである。
【００１５】
第１の態様において、前記電源コンタクトは、前記接点部の平面に対してオフセットするように設けられた実装部を有してもよい。
【００１６】
また、第１の態様において、電源コンタクトは、一対の前記接点部を連結する連結部を有してもよい。
【００１７】
さらに、第１の態様において、一対の前記接点部は、左右対称な形状を有してもよい。
【００１８】
一方、第１の態様において、前記電気コネクタはプラグコネクタでもよく、前記連結部は、前記接点部の端部の内側同士を連結するように設けられた板状の形状を有してもよい。
【００１９】
あるいは、第１の態様において、前記電気コネクタはレセプタクルコネクタでもよく、前記連結部は、前記接点部の端部の外側同士を連結するように設けられた板状の形状を有してもよい。
【００２０】
また、第１の態様において、前記連結部に実装部が設けられていてもよい。
【００２１】
さらに、第１の態様において、前記ハウジングに保持され、信号電流が流れる複数の信号用コンタクトを有してもよく、この場合、前記電源コンタクトは、前記信号用コンタクトの配列方向の両端にそれぞれ設けられる。
【００２２】
また、本発明の第２の態様は、第１の態様に記載の電気コネクタを相手側コネクタと組み合わせてなるコネクタユニットである。
【００２３】
また、本発明の第３の態様は、ハウジングと、前記ハウジングに保持され、電源電流が流れる電源コンタクトと、を有し、前記電源コンタクトは、面方向から見た形状がＵ字状の板状部材であり、一体に形成された少なくとも一対の接点部を有し、一対の前記接点部は、互いに平面が対向するように設けられている、電気コネクタである。
【００２４】
第３の態様において、前記電源コンタクトは、前記接点部の平面に対してオフセットするように設けられた実装部を有してもよい。
【００２５】
また、第３の態様において、電源コンタクトは、一対の前記接点部を連結する連結部を有してもよい。
【００２６】
さらに、第３の態様において、一対の前記接点部は、左右対称な形状を有してもよい。
【００２７】
一方、第３の態様において、前記電気コネクタはプラグコネクタでもよく、前記連結部は、前記接点部の端部の内側同士を連結するように設けられた板状の形状を有してもよい。
【００２８】
あるいは、第３の態様において、前記電気コネクタはレセプタクルコネクタでもよく、前記連結部は、前記接点部の端部の外側同士を連結するように設けられた板状の形状を有してもよい。
【００２９】
また、第３の態様において、前記連結部に実装部が設けられていてもよい。
【００３０】
さらに、第３の態様において、前記ハウジングに保持され、信号電流が流れる複数の信号用コンタクトを有してもよく、この場合、前記電源コンタクトは、前記信号用コンタクトの配列方向の両端にそれぞれ設けられる。
【発明の効果】
【００３１】
本発明によれば、電源電流を確実に分流可能で、通電による発熱を防止可能な電気コネクタを提供することができる。
【図面の簡単な説明】
【００３２】
【図１】コネクタユニットを示す側面図である。
【図２Ａ】図１のプラグコネクタを示す斜視図である。
【図２Ｂ】図１のプラグコネクタを示す平面図である。
【図２Ｃ】図１のプラグコネクタを示す裏面図である。
【図３Ａ】プラグ側電源コンタクトを示す斜視図である。
【図３Ｂ】プラグ側電源コンタクトを示す正面図である。
【図４Ａ】図１のレセプタクルコネクタを示す斜視図である。
【図４Ｂ】図１のレセプタクルコネクタを示す平面図である。
【図４Ｃ】図１のレセプタクルコネクタを示す裏面図である。
【図５Ａ】レセプタクル側電源コンタクトを示す斜視図である。
【図５Ｂ】レセプタクル側電源コンタクトを示す平面図である。
【図５Ｃ】レセプタクル側電源コンタクトの展開図である。
【図５Ｄ】レセプタクル側電源コンタクトを示す正面図である。
【図６Ａ】図１のＡ−Ａ断面図であって、プラグ側電源コンタクトおよびレセプタクル側電源コンタクトは正面図で表している。
【図６Ｂ】図６Ａの状態からプラグコネクタとレセプタクルコネクタを組み合わせた状態を示す断面図であって、プラグ側電源コンタクトおよびレセプタクル側電源コンタクトは正面図で表している。
【図６Ｃ】図６Ｂにおいて、プラグ側電源コンタクトとレセプタクル側電源コンタクトのみを図示した斜視図である。
【図７】従来技術の電源コンタクトの一例を示す斜視図である。
【発明を実施するための形態】
【００３３】
まず、図１〜図６Ｃを参照して、本実施形態に係るコネクタユニット１００およびコネクタユニット１００を構成する各コネクタの概略について説明する。
【００３４】
ここではコネクタユニット１００として、基板コネクタが例示されている。
【００３５】
図１に示すように、コネクタユニット１００は、プラグコネクタ１とレセプタクルコネクタ３を有している。
【００３６】
コネクタユニット１００は、例えば図示しないフレキシブルプリント基板（ＦＰＣ）とリジッド基板を接続する基板コネクタである。この場合、例えば、プラグコネクタ１はフレキシブルプリント基板上に設けられ、相手側のコネクタであるレセプタクルコネクタ３はリジッド基板上に設けられる。
【００３７】
図２Ａ〜図２Ｃに示すように、プラグコネクタ１は平面形状が長方形のハウジングであるプラグ側ハウジング５と、プラグ側ハウジング５の長手方向に所定のピッチで設けられ、信号電流が流れるプラグ側信号コンタクト７Ａ、７Ｂと、プラグ側信号コンタクト７Ａ、７Ｂの配列方向の両端（ここではプラグ側ハウジング５の長手方向の両端）にそれぞれ設けられ、電源電流が流れるプラグ側電源コンタクト５Ａ、５Ｂを有している。
【００３８】
図４Ａ〜図４Ｃに示すように、レセプタクルコネクタ３は、平面形状が長方形の厚板状のレセプタクル側ハウジング９と、レセプタクル側ハウジング９の長手方向に所定のピッチで設けられ、プラグ側信号コンタクト７Ａ、７Ｂと接続されるレセプタクル側信号コンタクト１１Ａ、１１Ｂ（即ち、信号電流が流れるコンタクト）と、レセプタクル側信号コンタクト１１Ａ、１１Ｂの配列方向の両端（ここではレセプタクル側ハウジング９の長手方向の両端）にそれぞれ設けられ、プラグ側電源コンタクト５Ａ、５Ｂと接続されるレセプタクル側電源コンタクト４１Ａ、４１Ｂ（即ち、電源電流が流れるコンタクト）を有している。
【００３９】
次に、プラグ側ハウジング５の構造について、図２Ａ〜および図３Ｂを参照して、より詳細に説明する。
【００４０】
図２Ａ〜図２Ｃに示すように、プラグコネクタ１のプラグ側ハウジング５は、互いに平行になるように設けられた一対の長板状の相手側嵌合部１４Ａ、１４Ｂと、相手側嵌合部１４Ａ、１４Ｂの端部間を連結するように設けられた連結部１４Ｃ、１４Ｄを有しており、相手側嵌合部１４Ａ、１４Ｂと連結部１４Ｃ、１４Ｄで平面形状が枠状の形状を構成している。
【００４１】
プラグ側信号コンタクト７Ａ、７Ｂは、相手側嵌合部１４Ａ、１４Ｂにそれぞれ設けられている。
【００４２】
図３Ａおよび図３Ｂに示すように、プラグ側電源コンタクト５Ａは、平板を折り曲げた形状を有し、一体に形成されたバネ状の一対の接点部１５Ａ、１５Ｂを有し、一対の接点部１５Ａ、１５Ｂは、平面が互いに対向するように設けられている。
【００４３】
ここでは、接点部１５Ａ、１５Ｂは、正面形状（平面の端面方向の形状、ここでは図３Ｂ方向の形状）がＵ字形状を有している。
【００４４】
また、接点部１５Ａ、１５Ｂは、正面（図３Ｂ）から見ると左右対称となるような形状である。
【００４５】
さらに、接点部１５Ａ、１５Ｂは板状の連結部１７を介して一体に形成されている。連結部１７は、ここでは接点部１５Ａ、１５Ｂの端部１６Ａ、１６Ｂ、１６Ｃ、１６Ｄのうち、内側同士の端部である端部１６Ｂと端部１６Ｃを連結するように設けられている。
【００４６】
詳細は後述するが、このように、プラグ側電源コンタクト５Ａを一体に形成されたバネ状の一対の接点部１５Ａ、１５Ｂを有する構成とすることにより、通電の際の電流経路を接点部１５Ａ、１５Ｂそれぞれに確実に分流でき、通電による発熱を防止可能である。
【００４７】
特に、接点部１５Ａ、１５Ｂを左右対称な形状とすることにより、電源電流を流れる際に分流を確実にできる。
【００４８】
また、接点部１５Ａ、１５Ｂを、平板を折り曲げたＵ字形状のバネ状とすることにより、バネ長を長くすることができ、プラグコネクタ１とレセプタクルコネクタ３の着脱を繰り返しても、接点部１５Ａ、１５Ｂが金属疲労を起こして変形するのを防止できる。
【００４９】
一方、プラグ側電源コンタクト５Ａは、プラグコネクタ１を接続対象である基板等に接続するための実装部１９Ａ、１９Ｂを有している。実装部１９Ａ、１９Ｂは、ここでは半田を用いて基板等に接続するための表面実装（ＳＭＴ）端子である。
【００５０】
また、実装部１９Ａ、１９Ｂは図３Ａおよび図３Ｂに示すように、接点部１５Ａ、１５Ｂの対向する面に対してオフセットするように設けられている。
【００５１】
より具体的に説明すると、実装部１９Ａ、１９Ｂは、接点部１５Ａ、１５Ｂの面の対向する方向（図３ＡのＢ１方向）に対して交差する方向（図３ＡのＢ２方向）にオフセットするように設けられている。
【００５２】
このように、実装部１９Ａ、１９Ｂの配置をオフセットする、即ち、接点部１５Ａ、１５Ｂと平面上の位置が重ならない配置とすることにより、実装部１９Ａ、１９Ｂを図示しない基板等に半田付けした際に、半田上がりが生じても、半田が接点部１５Ａ、１５Ｂに達することはない。
【００５３】
そのため、半田が接点部１５Ａ、１５Ｂに付着することによる接点部１５Ａ、１５Ｂの接触抵抗の増大やそれに伴う発熱を防止できる。
【００５４】
なお、プラグ側電源コンタクト５Ｂの構造は、プラグ側電源コンタクト５Ａの構造と同様であるため、説明を省略する。
【００５５】
次に、レセプタクルコネクタ３の構造について、図４Ａ〜図５Ｄを参照して、より詳細に説明する。
【００５６】
図４Ａ〜図４Ｃに示すように、レセプタクルコネクタ３のレセプタクル側ハウジング９は、レセプタクル側信号コンタクト１１Ａ、１１Ｂのピッチ方向に長手方向を有し、対向する一対の第１側壁部３１Ａ、３１Ｂと、一対の第１側壁部３１Ａ、３１Ｂのそれぞれの端部間を連結し、対向する一対の第２側壁部３１Ｃ、３１Ｄを有している。なお、ここでは、第１側壁部３１Ａ、３１Ｂは長方形の長辺に相当する部分であり、第２側壁部３１Ｃ、３１Ｄは長方形の短辺に相当する部分である。
【００５７】
図４Ｂに示すように、レセプタクル側ハウジング９の上面には、プラグコネクタ１の相手側嵌合部１４Ａ、１４Ｂが挿入される溝部３３Ａ、３３Ｂが、長方形の長辺に沿って設けられており、溝部３３Ａ、３３Ｂを跨ぐようにして、レセプタクル側信号コンタクト１１Ａ、１１Ｂが長手方向に所定のピッチで設けられている。
【００５８】
なお、溝部３３Ａ、３３Ｂの端部は長方形の短辺に沿って設けられた連結溝３５Ａ、３５Ｂによって連結され、全体として平面形状がプラグコネクタ１のプラグ側ハウジング５の枠形状に対応した形となっており、中央部分は凸形状の凸部３７を形成している。
【００５９】
図５Ａ〜図５Ｄに示すようにレセプタクル側電源コンタクト４１Ａは、平板を折り曲げた形状を有し、一体に形成されたバネ状の一対の接点部２１Ａ、２１Ｂを有し、一対の接点部２１Ａ、２１Ｂは、平面が互いに対向するように設けられている。
【００６０】
ここでは、接点部２１Ａ、２１Ｂは、正面形状（平面の面方向の形状）がＵ字形状を有しており、接点部１５Ａ、１５Ｂと係合可能な形状となっている。
【００６１】
具体的には、接点部１５Ａ、１５ＢのＵ字の外側と、接点部２１Ａ、２１ＢのＵ字の内側が接触することにより、係合可能な形状となっている。
【００６２】
また、接点部２１Ａ、２１Ｂは、正面（図５Ｄ）から見ると左右対称となるような形状である。
【００６３】
さらに、接点部２１Ａ、２１Ｂは板状の連結部２３を介して一体に形成されている。連結部２３は、ここでは接点部２１Ａ、２１Ｂの端部２６Ａ、２６Ｂ、２６Ｃ、２６Ｄのうち、外側同士の端部である、端部２６Ａと端部２６Ｄを連結するように設けられている。
【００６４】
詳細は後述するが、このように、レセプタクル側電源コンタクト４１Ａを一体に形成されたバネ状の一対の接点部２１Ａ、２１Ｂを有する構成とすることにより、プラグ側電源コンタクト５Ａと同様に、通電の際の電流経路を接点部２１Ａ、２１Ｂそれぞれに確実に分流でき、通電による発熱を防止可能である。
【００６５】
特に、接点部２１Ａ、２１Ｂを左右対称な形状とすることにより、電源電流を流れる際に分流を確実にできる。
【００６６】
また、接点部２１Ａ、２１Ｂを、平板を折り曲げたＵ字形状のバネ状とすることにより、バネ長を長くすることができ、プラグコネクタ１とレセプタクルコネクタ３の着脱を繰り返しても、接点部２１Ａ、２１Ｂが金属疲労を起こして変形するのを防止できる。
【００６７】
一方、レセプタクル側電源コンタクト４１Ａは、レセプタクルコネクタ３を接続対象である基板等に接続するための実装部２５Ａ、２５Ｂを有している。実装部２５Ａ、２５Ｂは、ここでは半田を用いて基板等に接続するための表面実装（ＳＭＴ）端子である。
【００６８】
また、実装部２５Ａ、２５Ｂは図５Ｂに示すように、接点部２１Ａ、２１Ｂの対向する面に対してオフセットするように設けられている。
【００６９】
より具体的に説明すると、実装部２５Ａ、２５Ｂは、接点部２１Ａ、２１Ｂの面の対向する方向（図５ＡのＣ１方向）に対して交差する方向（図５ＡのＣ２方向）にオフセットするように設けられている。
【００７０】
このように、実装部２５Ａ、２５Ｂの配置をオフセットする、即ち、接点部２１Ａ、２１Ｂと平面上の位置が重ならないようにすることにより、実装部２５Ａ、２５Ｂを図示しない基板等に半田付けした際に、半田上がりが生じても、半田が接点部２１Ａ、２１Ｂに達することはない。
【００７１】
そのため、半田が接点部２１Ａ、２１Ｂに付着することによる接点部１５Ａ、１５Ｂの接触抵抗の増大やそれに伴う発熱を防止できる。
【００７２】
なお、レセプタクル側電源コンタクト４１Ｂの構造は、レセプタクル側電源コンタクト４１Ａの構造と同様であるため、説明を省略する。
【００７３】
次に、コネクタユニット１００において、プラグコネクタ１とレセプタクルコネクタ３を組み合わせる際の手順について図６Ａ〜図６Ｃを参照して簡単に説明する。
【００７４】
まず、図６Ａに示すように、レセプタクルコネクタ３の接点部２１Ａ、２１Ｂとプラグコネクタ１の接点部１５Ａ、１５Ｂの平面上の位置を合わせ、接点部２１Ａ、２１Ｂ内に接点部１５Ａ、１５Ｂを挿入して行く。
【００７５】
このとき、接点部１５Ａ、１５ＢのＵ字の外側は、レセプタクルコネクタ３の接点部２１Ａ、２１ＢのＵ字の内側に接触し、接点部２１Ａ、２１ＢをＵ字が開く向きに押圧する。
【００７６】
これにより、接点部２１Ａ、２１ＢはＵ字が開く向きに弾性変形しつつ、図６Ｂおよび図６Ｃに示すように、接点部１５Ａ、１５Ｂと係合し、通電可能となる。
【００７７】
この状態では、プラグ側電源コンタクト５Ａとレセプタクル側電源コンタクト４１Ａの間に電源電流を流すと、電源電流は実装部１９Ａ、１９Ｂから連結部１７を介して接点部１５Ａ、１５Ｂに分流して接点部２１Ａ、２１Ｂにそれぞれ流れ、連結部２３で合流し、実装部２５Ａ、２５Ｂに達する。
【００７８】
なお、レセプタクル側電源コンタクト４１Ａに流れる電流について、より具体的に説明すると、図５Ｃに示すように、接点部２１Ａ、２１Ｂから矢印Ｄ１の向きに電流が流れた場合、連結部２３に達した電流はＤ２の向きに流れて合流し（矢印Ｄ３参照）、再び分流して矢印Ｄ４の向きに流れ、実装部２５Ａ、２５Ｂに達する。
【００７９】
そのため、通電の際の電流経路を接点部１５Ａ、１５Ｂおよび接点部２１Ａ、２１Ｂそれぞれに確実に分流でき、通電による発熱を防止可能である。
【００８０】
また、プラグ側電源コンタクト５Ａとレセプタクル側電源コンタクト４１Ａは、接点部１５Ａと接点部２１Ａが係合し、接点部２１Ｂと接点部１５Ｂが係合する。
【００８１】
換言すれば、レセプタクル側電源コンタクト４１Ａ、４１Ｂは、プラグ側電源コンタクト５Ａ、５Ｂと各列２点で挟み込む構造である。
【００８２】
そのため、プラグ側電源コンタクト５Ａとレセプタクル側電源コンタクト４１Ａの接触信頼性を従来よりも高めることができる。
【００８３】
このように、本実施形態によれば、プラグコネクタ１はプラグ側ハウジング５と、プラグ側ハウジング５に保持され、電源電流が流れるプラグ側電源コンタクト５Ａを有し、プラグ側電源コンタクト５Ａは、平板を折り曲げた形状を有し、一体に形成されたバネ状の一対の接点部１５Ａ、１５Ｂを有し、一対の接点部１５Ａ、１５Ｂは、平面が互いに対向するように設けられている。
【００８４】
そのため、プラグコネクタ１は電源電流を確実に分流可能で、通電による発熱を防止可能である。
【００８５】
また、本実施形態によれば、プラグコネクタ１は、実装部１９Ａ、１９Ｂが接点部１５Ａ、１５Ｂの対向する面に対してオフセットするように設けられている。
【００８６】
そのため、プラグコネクタ１では、半田が接点部１５Ａ、１５Ｂに付着することによる接点部１５Ａ、１５Ｂの接触抵抗の増大やそれに伴う発熱を防止できる。
【００８７】
さらに、本実施形態によれば、レセプタクルコネクタ３はレセプタクル側ハウジング９と、レセプタクル側ハウジング９に保持され、電源電流が流れるレセプタクル側電源コンタクト４１Ａを有し、レセプタクル側電源コンタクト４１Ａは、平板を折り曲げた形状を有し、一体に形成されたバネ状の一対の接点部２１Ａ、２１Ｂを有し、一対の接点部２１Ａ、２１Ｂは、平面が互いに対向するように設けられている。
【００８８】
そのため、レセプタクルコネクタ３は電源電流を確実に分流可能で、通電による発熱を防止可能である。
【００８９】
また、本実施形態によれば、レセプタクルコネクタ３は、実装部２５Ａ、２５Ｂが接点部２１Ａ、２１Ｂの対向する面に対してオフセットするように設けられている。
【００９０】
そのため、レセプタクルコネクタ３では、半田が接点部２１Ａ、２１Ｂに付着することによる接点部２１Ａ、２１Ｂの接触抵抗の増大やそれに伴う発熱を防止できる。
【産業上の利用可能性】
【００９１】
以上、添付図面を参照しながら本発明の好適な実施形態について説明したが、本発明は係る例に限定されない。当業者であれば、請求の範囲に記載された範疇内において、各種の変更例または修正例に想到し得ることは明らかであり、それらについても当然に本発明の技術的範囲に属するものと了解される。例えば、上記した実施形態では、接点部を１対とした場合について説明したが、少なくとも一対の接点部があれば、２対以上でもよい。
【符号の説明】
【００９２】
１          ：プラグコネクタ
３          ：レセプタクルコネクタ
５          ：プラグ側ハウジング
５Ａ、５Ｂ  ：プラグ側電源コンタクト
７Ａ、７Ｂ  ：プラグ側信号コンタクト
９          ：レセプタクル側ハウジング
１１Ａ、１１Ｂ：レセプタクル側信号コンタクト
１４Ａ、１４Ｂ：相手側嵌合部
１４Ｃ、１４Ｄ：連結部
１５Ａ、１５Ｂ：接点部
１６Ａ、１６Ｂ、１６Ｃ、１６Ｄ    ：端部
１７      ：連結部
１９Ａ、１９Ｂ    ：実装部
２１Ａ、２１Ｂ    ：接点部
２３      ：連結部
２５Ａ、２５Ｂ    ：実装部
２６Ａ、２６Ｂ、２６Ｃ、２６Ｄ    ：端部
３１Ａ、３１Ｂ    ：第１側壁部
３１Ｃ、３１Ｄ    ：第２側壁部
３３Ａ、３３Ｂ    ：溝部
３５Ａ、３５Ｂ    ：連結溝
３７      ：凸部
４１Ａ、４１Ｂ    ：レセプタクル側電源コンタクト
５４      ：第１固定具
８０      ：弾性片
１００    ：コネクタユニット
７８１    ：突出部
【図１】
2014175304.tif 000003
【図２Ａ】
2014175304.tif 000004
【図２Ｂ】
2014175304.tif 000005
【図２Ｃ】
2014175304.tif 000006
【図３Ａ】
2014175304.tif 000007
【図３Ｂ】
2014175304.tif 000008
【図４Ａ】
2014175304.tif 000009
【図４Ｂ】
2014175304.tif 000010
【図４Ｃ】
2014175304.tif 000011
【図５Ａ】
2014175304.tif 000012
【図５Ｂ】
2014175304.tif 000013
【図５Ｃ】
2014175304.tif 000014
【図５Ｄ】
2014175304.tif 000015
【図６Ａ】
2014175304.tif 000016
【図６Ｂ】
2014175304.tif 000017
【図６Ｃ】
2014175304.tif 000018
【図７】
2014175304.tif 000019